(57)【要約】      （修正有）【課題】最小限の誘虫光源で殺虫性能を向上すると共に、低コストでコンパクトな電撃殺虫器を提供する。【解決手段】電撃殺虫器１は本体２、格子状の保護部材２１、反射板２５、誘虫光源３１、電撃格子３５、高圧トランス４１、及び虫受け皿１１を具備する。本体２は上面、両側面及び後面が閉じられ、前面のみ開放されている。本体２の前面を保護部材２１で覆うと共に、入射光を前側に反射する反射板２５を本体２内に設ける。点灯時に誘虫光を発する誘虫光源３１を誘虫光で反射板２５及び本体２の開放された前面を照らすように反射板２５の前側でかつ本体２内に配設する。電撃格子３５を本体２内でかつ誘虫光源３１の前後の内の一方に配設する。電撃格子３５に高電圧を印加する高圧トランス４１を本体２に取付ける。本体２に支持される虫受け皿１１を反射板２５、誘虫光源３１及び電撃格子３５の下方に配設したことを特徴としている。【選択図】図２
2010130969.tif 000002
【特許請求の範囲】
【請求項１】
上面、両側面、及び後面が閉じられるとともに前面が開放された本体と；
この本体の開放された前面を覆うように前記本体に配設された格子状の保護部材と；
前記本体内に設けられ入射光を前側に反射する反射部材と；
点灯時に誘虫光を発し、この誘虫光で前記反射部材及び前記本体の開放された前面を照らすように前記反射部材の前側でかつ前記本体内に配設された誘虫光源と；
前記本体内でかつ前記誘虫光源の前後の内の一方に配設された電撃格子と；
前記本体に取付けられ前記電撃格子に高電圧を印加する電圧印加装置と；
前記反射部材、誘虫光源、及び電撃格子の下方に位置して前記本体に配設された虫受け皿と；
を具備したことを特徴とする電撃殺虫器。
【請求項２】
前記反射部材が前記誘虫光源及び電撃格子の後に配設されているとともに、この反射部材が入射光を斜め下方に向けて反射して前記本体の開放された前面を通過させる配光制御部を有していることを特徴とする請求項１に記載の電撃殺虫器。
【請求項３】
前記反射部材がその反射面に積層された透光性でかつ前記反射面よりも滑性が高い材料からなる保護層を有していることを特徴とする請求項１又は２に記載の電撃殺虫器。
【請求項４】
前記電撃格子が平面視略半円弧状に曲がっていて前記誘虫光源をその周方向に囲むように配設されていることを特徴とする請求項１から３の内のいずれか一項に記載の電撃殺虫器。
【請求項５】
ひさし状の遮光凸部を備え、この遮光凸部が前記本体の開放された前面の上側に設けられて前記前面の前方に突出されていることを特徴とする請求項１から４の内のいずれか一項に記載の電撃殺虫器。
【発明の詳細な説明】
【技術分野】
【０００１】
本発明は、建物の軒下や調理場のバックヤード等に設置されて飛翔する虫を誘引して電撃により殺虫する電撃殺虫器に関する。
【背景技術】
【０００２】
従来、前面開口の略直方体を備え、前記前面開口を略覆うように格子状保護部材を前記略直方体に設け、かつ、直管型ランプからなる光源（誘虫灯）を前記略直方体内に前後及び上下に離れて配置するとともに、高圧発生回路の異極に接続された電撃格子を前後の光源間に配置して、光源が発した光で前記略直方体内に誘引され電撃格子部に侵入した虫を、電撃格子により殺虫するようにした電撃殺虫器が知られている（例えば、特許文献１参照。）。
【特許文献１】特開２００１−２５２０００号公報（段落０００２−０００４０、００１２、図１、図１０−図１４）
【発明の開示】
【発明が解決しようとする課題】
【０００３】
特許文献１に記載の電撃殺虫器で、直管型ランプからなる光源が発した光は、略直方体の前面開口を通って、この前面開口の大きさに基づいて限定された照射エリアに達する。しかし、このエリア内の虫から見た光源の大きさは直管型ランプの大きさそのものであるから、特許文献１に記載の電撃殺虫器で虫から見た光源部の大きさは、上下方向に離して配設された直管型ランプ二本分の大きさに相当した大きさである。
【０００４】
このように虫から見た光源部が大きいと、光源部に向けて虫を誘う効果（誘虫効果）はよくなるが、直管型ランプを二本必要とするので、コスト高である。
【０００５】
これとともに、前後二本の直管型ランプの夫々は、それらの間の電撃格子に対して所定の絶縁距離を隔てて配置する必要があるので、その配置スペースを確保するために略直方体が前後方向に長くなる。したがって、従来の電撃殺虫器は大形である。
【０００６】
更に、直管型ランプからなる光源はその全周から光を放射するが、略直方体の前面開口とは反対方向に向かった光の多くは、前記照射エリアを照射する上では利用されないで無駄となっているので、この点で誘虫効果が低い。
【０００７】
本発明の目的は、最小限の誘虫光源でこの光源に向けての誘虫効果が高められて殺虫性能を向上できるとともに、低コストで、前後方向にコンパクトにするのに適する電撃殺虫器を提供することにある。
【課題を解決するための手段】
【０００８】
請求項１の発明は、上面、両側面、及び後面が閉じられるとともに前面が開放された本体と；この本体の開放された前面を覆うように前記本体に配設された格子状の保護部材と；前記本体内に設けられ入射光を前側に反射する反射部材と；点灯時に誘虫光を発し、この誘虫光で前記反射部材及び前記本体の開放された前面を照らすように前記反射部材の前側でかつ前記本体内に配設された誘虫光源と；前記本体内でかつ前記誘虫光源の前後の内の一方に配設された電撃格子と；前記本体に取付けられ前記電撃格子に高電圧を印加する電圧印加装置と；前記反射部材、誘虫光源、及び電撃格子の下方に位置して前記本体に配設された虫受け皿と；を具備したことを特徴としている。
【０００９】
この発明で、保護部材は、複数の桟を縦横に組んで形成され、或いは金網等で形成することができる。この保護部材が格子状であるとは、光源に誘われる虫の通過は許すが、虫より大きい人体の手指等の物体を通さないか又は通し難い構成を指している。
【００１０】
この発明で、入射光とは光源から差し込む光を指している。更にこの発明で反射部材は、本体とは別に設置される反射板で好適に形成できる他、本体の後面を閉じた背板自体で形成することもできる。反射部材の反射面は拡散反射面であっても鏡面反射面であってもよい。
【００１１】
反射面が拡散反射面である場合、この反射面への入射光により反射部材全面が明るく光るようになる点で好ましいとともに、この拡散反射面として、反射部材の基材を高反射性材料例えばステンレス等の金属で形成する場合にはその地肌面を利用でき、基材が高反射性材料でない場合には、その基材の地肌面上に塗装等により積層された白色等の光拡散層を用いることが可能である。
【００１２】
又、反射面が鏡面反射面である場合、強度が強い反射光を得られる点で好ましいとともに、配光制御をする上でも好ましい。更に、鏡面反射面は、反射部材の基材の表面をメッキ処理や蒸着処理すること等により基材の表面上に金属の反射層を積層して設けることが可能である。
【００１３】
この発明で、誘虫光源は、虫を誘う効果が認められている３５２ｎｍの波長を含んだ紫外線（誘虫光）を出力する光源を指している。この紫外線出力型の誘虫光源としては、直管型又はサークライン型或いは片口金型の蛍光ランプを使用できる他、安定器が内蔵された電球型の蛍光ランプを好適に使用できる。この発明で、誘虫光源の使用数は１個以上であればよい。
【００１４】
誘虫光源として前記電球型蛍光ランプを使用することは、誘虫光源としてのサイズが、直管型又はサークライン型或いは片口金型の蛍光ランプに比較して小さいので、それに伴い電撃格子等も小形化でき、加えて、安定器の設置スペースも不要になるので、電撃殺虫器の小形化を促進する上で好ましい。更に、既述のように誘虫光源としてのサイズが小さくなることに伴い、この光源から放射された光を反射部材で配光制御する場合に、その制御が容易となるので、誘虫効果を高めるために目的の照射エリアを狙った紫外線照射をする上でも好ましい。しかも、電球型蛍光ランプは、直管型又はサークライン型或いは片口金型の蛍光ランプに比較して消費電力も少ないので、夜間を通じて長時間連続点灯される用途においても、電球型蛍光ランプを誘虫光源として用いることは、省エネルギーを促進する上でも好ましい。
【００１５】
この発明で、電撃格子は、誘虫光源を取巻くように環状に配設されるものでも、或いは誘虫光源の前後両側に夫々配設されるものではなく、誘虫光源の前（つまり、誘虫光源と保護部材との間）、又は誘虫光源の後（つまり、誘虫光源と反射部材との間）のいずれかに配設される。この電撃格子は、保護部材と略平行に配設することが可能であるとともに、誘虫光源が電球型蛍光ランプである場合、このランプの半周に略沿うように円弧状に配設できるなど、任意に配設することが可能である。
【００１６】
この発明で、電圧印加装置としては、例えば高圧トランスを挙げることができるが、これには制約されない。これとともに、電圧印加装置は、反射部材、電撃格子、及び誘虫光源の上方に位置して本体内に設けることが好ましい。又、本発明で、虫受け皿は、本体に対して着脱可能に取付けられるものであっても、或いは本体の下面を閉じる底壁によって形成することもできる。後者の場合には、虫受け皿を兼ねる底壁の掃除を可能とするために底壁の少なくとも一部を開閉可能に形成することが好ましい。
【００１７】
請求項１の発明では、誘虫光源はその周囲に誘虫光を放射し、この誘虫光源から前側に直接向かった誘虫光が、本体の開放された前面に配置された保護部材を通って本体外に投光される。この一方で、誘虫光源から後側に向かった誘虫光は、反射部材に入射するから、この反射部材で前側に反射されて保護部材を通って本体外に投光される。このように反射部材により誘虫光源の後側に向かった誘虫光が無駄になることを抑制して、その光を本体の前方へ投光できるので、誘虫効果が高められる。それだけではなく、誘虫光源がその後側の反射部材の反射面に映り込み、この反射部材が擬似的な二次光原となる。そのため、本体外の虫から見た光源の大きさが見掛け上大きくなるので、誘虫効果が高められる。
【００１８】
こうした光量及び光源の見掛け上の大きさの増加による誘虫効果の向上は、誘虫光源の数が多いほど高められるが、誘虫光源が１個の場合でも実現できるので、最小限の誘虫光源の数でこの光源に向けての誘虫効果が高められて、それに伴い電撃格子に侵入する虫を電撃で殺虫する性能を向上できる。しかも、本体外の虫から見た誘虫光源の大きさを大きく確保するために数多くの誘虫光源を要することなく、誘虫光源の使用数を最小にできる。それにより、コストを低減することができる。
【００１９】
これとともに、電撃格子を誘虫光源の前又は後のみに配設したので、電撃格子と誘虫光源とを配置するのに要する前後方向のスペースは、電撃格子の前後両側に誘虫光源が配設された構成、及び誘虫光源の周りを囲んで電撃格子が環状に配設された場合に比較して、略半分で済む。したがって、電撃格子及び誘虫光源を内蔵した本体の前後方向の長さを短くするのに適しており、それにより、更なるコスト低減を図ることができる。
【００２０】
請求項２の発明は、請求項１の発明において、前記反射部材が前記誘虫光源及び電撃格子の後に配設されているとともに、この反射部材が入射光を斜め下方に向けて反射して前記本体の開放された前面を通過させる配光制御部を有していることを特徴としている。
【００２１】
請求項２の発明では、反射部材に入射された誘虫光の一部が、反射部材の配光制御部で、斜め下方に向けて反射され本体の開放された前面を通過することによって、本体の前面開口の大きさに基づく照射エリアに対する配光を、上方向には少なく、斜め下方向には多く確保されるように制御できる。それにより、特定の照射エリアに絞って誘虫光を照射して、誘虫効果を向上させることができるとともに、特定の照射エリア外にいる虫を誘い込んで殺虫しないようにできる。
【００２２】
請求項３の発明は、請求項１又は２の発明において、前記反射部材がその反射面に積層された透光性でかつ前記反射面よりも滑性が高い材料からなる保護層を有していることを特徴としている。
【００２３】
この発明で、保護層は、例えば透明な四弗化エチレン樹脂を材料とするコーティング層で形成することができる他、光触媒作用を発揮する透明な酸化チタンを材料とする層であってもよい。
【００２４】
この請求項３の発明では、反射部材の保護層により、反射部材の反射面が曇ることを抑制できる。これとともに、保護層は高い滑性を有しているので、電撃殺虫により飛び散って反射部材に到達した虫の死骸が、反射部材の表面に付着し難く、付着した死骸を除去する場合にも容易である。
【００２５】
請求項４の発明は、請求項１から３の内のいずれかの発明において、前記電撃格子が平面視略半円弧状に曲がっていて前記誘虫光源をその周方向に囲むように配設されていることを特徴としている。
【００２６】
この請求項４の発明では、誘虫光源に対する電撃格子の各部の距離が略等しくなるように電撃格子が配設されるので、本体内に誘き寄せられて誘虫光源の周りを飛び交う虫が、電撃格子の電撃によって殺虫される可能性が高められる。
【００２７】
請求項５の発明は、請求項１から４の内のいずれかの発明において、ひさし状の遮光凸部を備え、この遮光凸部が前記本体の開放された前面の上側に設けられて前記前面の前方に突出されていることを特徴としている。
【００２８】
この請求項５の発明では、ひさし状の遮光凸部によって、本体の開放された前面を斜め上方に向けて通過する誘虫光を遮ることができるため、店舗など建物の軒下のような吊下げ設置面の塗装を、紫外線を含んだ誘虫光で劣化させることを防止できる。
【発明の効果】
【００２９】
請求項１の発明によれば、最小限の誘虫光源でこの光源に向けての誘虫効果が高められて殺虫性能を向上できるとともに、低コストで、前後方向にコンパクトにするのに適する電撃殺虫器を提供できる。
【００３０】
請求項２の発明によれば、請求項１の発明において、更に、特定の照射エリアに絞って誘虫光を照射して、誘虫効果を向上させることができるとともに、特定の照射エリア外にいる虫を誘い込んで殺虫しないようにできる。
【００３１】
請求項３の発明によれば、請求項１又は２の発明において、更に、反射部材の保護層により、反射性能の低下を抑制できるとともに、電撃殺虫された虫の死骸が、反射部材の表面に付着し難く、かつ、反射部材の表面に付着した虫の死骸を除去も容易にできる。
【００３２】
請求項４の発明によれば、請求項１から３の内のいずれかの発明において、更に、電撃格子の電撃による殺虫性能を高めることができる。
【００３３】
請求項５の発明によれば、請求項１から４の内のいずれかの発明において、電撃殺虫器の吊下げ設置面を、紫外線を含んだ誘虫光によって劣化させることを防止できる。
【発明を実施するための最良の形態】
【００３４】
図１〜図８を参照して本発明の第１実施形態を説明する。
【００３５】
図１及び図２中符号１は電撃殺虫器を示している。電撃殺虫器１は本体２を備えている。
【００３６】
本体２は、図３〜図５等に示すように左右一対の側フレーム３と、上フレーム４と、連結棒５と、背板６と、左右一対の側フレームカバー７と、上部カバー８を備えている。
【００３７】
詳しくは、側フレーム３は、図４に示すように四角形であり、本体２の側壁をなしている。これら左右の側フレーム３は、所定の間隔を空けて平行に配設されている（図３参照）とともに、その後部でかつ下部に、図２及び図４に記載の一方の側フレーム３で代表して示すように切起こし片３ａと嵌合溝３ｂを有している。切起こし片３ａは側フレーム３の内側に切起こされており、その切起こし跡によって嵌合溝３ｂが形成されている。
【００３８】
上フレーム４は、本体２の天板をなすものであり、一対の側フレーム３の上端にねじ止めなどにより固定されていて、図３に示すように左右の側フレーム３に渡って取付けられている。図４及び図５に示すように上フレーム４は、その前縁から上向きに折れ曲がった前フランジ４ａと、後縁から上向きに折れ曲がった後フランジ４ｂを有している。
【００３９】
連結棒５は、断面コの字形の棒材からなり、その長手方向両端部は、側フレーム３の嵌合溝３ｂに嵌められていて切起こし片３ａにねじ止めされている。それにより、この連結棒５で左右の側フレーム３が連結されている。
【００４０】
背板６は、左右方向に延びていて、その両端部に固定部６ａ（図２及び図４に一端部の固定部のみを図示する。）を有している。これらの固定部６ａを側フレーム３にねじ止めすることにより、背板６が左右の側フレーム３に渡って取付けられている。背板６の上縁６ｂは前向きに折れ曲がっていて、この上縁６ｂは図２に示すように上フレーム４の後縁部下面に接している。以上のように取付けられた背板６は連結棒５を後側から覆っている。
【００４１】
左右の側フレームカバー７は、夫々側フレーム３に外側から嵌合されてこれら側フレーム３にねじ止めされている。
【００４２】
図２に示すように上部カバー８はこれを端面方向から見た形状が湾曲形状をなしていて、したがって、例えば蒲鉾状の外観を呈しているが、これには制約されず、端面方向から見た形状が四角をなしていてもよい。上部カバー８は、上フレーム４の前フランジ４ａと後フランジ４ｂにねじ止めされることにより、上フレーム４を上方から覆って、この上フレーム４に取付けられている。
【００４３】
なお、本実施形態では上部カバー８が左右の端板８ａを有している。しかし、これらの端板８ａを省略して上部カバー８の左右両端を開放させるとともに、側フレームカバー７を上部カバー８の開放された端を覆うことができる大きさに形成して、この側フレームカバー７の上部を上部カバー８の左右両端部に嵌合させる構成としてもよい。
【００４４】
以上の構成の本体２は、その上面が上フレーム４により閉じられているとともに、両側面が側フレーム３及び側フレームカバー７により夫々閉じられていて、かつ、後面が背板６により閉じられていて、夫々遮光されている。又、図２に示すように本体２の内部は、上フレーム４を境に、上フレーム４より上側の上部室２ａと、上フレーム４より下側の下部室２ｂとに仕切られている。
【００４５】
電撃殺虫器１は本体２と別体の虫受け皿１１を備えている。この虫受け皿１１は、本体２の下部を閉じて本体２に着脱可能に取付けられている。この着脱のために、図３等に示すように一方の側フレーム３の下部内面にＬ字形状のフック１２が二個突設されているとともに、他方の側フレーム３の下部内面にねじ受け金具１３が突設されている。これとともに、前記一方の側フレーム３の下部内面に重なるように配置される虫受け皿１１の一側に、図４に示すように縦長の係止孔１４がフック１２と同数形成されているとともに、前記他方の側フレーム３の下部内面に重なるように配置される虫受け皿１１の他側寄りに、ねじ受け金具１３に対応してこれに挿脱される化粧ねじ１５のねじ部が通される部位（図示しない）が設けられている。
【００４６】
虫受け皿１１は、その係止孔１４をフック１２に引掛けるとともに、前記部位に対して化粧ねじ１５を上向きに螺挿してねじ受け金具１３に螺合させることにより、図１及び図２に示すように本体２の下部に支持される。そして、この取付けと逆の手順により虫受け皿１１は本体２から外せるように設けられている。
【００４７】
虫受け皿１１が本体２に装着された状態で、この虫受け皿１１の前縁と、側フレームカバー７で覆われた左右の側フレーム３の前縁と、上部カバーで覆われた上フレーム４の前フランジ４ａとは、互いに直角に連続するように配設されている。それによって、本体２は前面が開放された状態、正確には下部室２ｂの前面が開放された状態となっている。
【００４８】
図１及び図２に示すように下部室２ｂにはその開放された前面を覆うように保護部材２１が配設されている。保護部材２１は例えば金属棒を縦横に組み合わせて格子状に形成されていて、飛翔する虫は通過できる。この保護部材２１の左右両端に配置されて端部金属棒２１ａの上下両端部は夫々後方向に折り曲げられていて、これら上下両端部はその先端に固定部２１ｂ（図２参照）を有している。これらの固定部２１ｂを左右の側フレーム３に取外し可能なねじ等で固定することにより、保護部材２１が本体２の前面部に着脱可能に支持されている。
【００４９】
図１及び図２に示すように本体２内、詳しくは、下部室２ｂ内に、反射部材例えば反射板２５が配設されている。反射板２５は保護部材２１の後方に配置され、本実施形態の場合には下部室２ｂの後部に背板６に寄せて配置されている。反射板２５の左右方向の幅Ｗ１（図５参照）は、後述する誘虫光源の直径Ｗ２（図２参照）より広い。
【００５０】
反射板２５はその幅方向（左右方向）両端部の上縁から前向きに折れ曲がった固定片２５ａを夫々有している。これらの固定片２５ａを上フレーム４にねじ等で固定することにより、反射板２５が上フレーム４に吊持された状態に支持されている。図６に示すように反射板２５の左右両端部側の部位２５ｂは、これらの部位２５ｂ間に位置された反射板２５の中央部２５ｃに対して斜め前側に折り曲げられている。
【００５１】
反射板２５の中央部２５ｃは、図１に示すように電撃殺虫器１を正面に見て後述する誘虫光源３１の真後ろに対向して位置されている。これとともに、反射板２５の左右両端部側の部位２５ｂは、図１に示すように電撃殺虫器１を正面に見て誘虫光源３１の真後ろから右又は左に外れていて、この誘虫光源３１に対して斜め後方から対向するように位置されている。したがって、電撃殺虫器１を正面に見て誘虫光源３１は、反射板２５の中央部２５ｃには投影されているが、反射板２５の左右両端部側の部位２５ｂには投影されていない。
【００５２】
反射板２５の中央部２５ｃは、曲がって形成されていて、具体的には図６に示すように前側に凸をなして曲げられている。この曲げによって中央部２５ｃは、前側への突出高さが小さいＶ形断面をなしているが、その断面はＶ形以外にもＵ形若しくは円弧状等であっても差し支えない。
【００５３】
このように曲がった中央部２５ｃを有した反射板２５の構成は、その中央部２５ｃに前側から入射する光が、入射光路を通って誘虫光源３１に戻るように反射することを防止し、それにより、誘虫光源３１から放射される光の利用効率を高める上で好ましい。しかし、この中央部２５ｃは曲がっていなくてもよい。又、曲がった中央部２５ｃとする場合、前側に凸をなすのではなく、この逆に後側に凸をなして曲げてもよい。
【００５４】
図７に示すように反射板２５は、基材２６と、この基材２６の表面に積層された反射層からなる反射面２７と、この反射面２７に積層された保護層２８とを有している。基材２６は金属からなり、反射面２７は蒸着金属等により設けられている。保護層２８は、透光性でかつ反射面２７よりも滑性が高い材料、例えば光触媒作用を発揮する透明な酸化チタンからなる透光性のコーティング層で形成されている。
【００５５】
図２に示すように反射板２５と保護部材２１との間に位置して誘虫光源３１が本体２に配設されている。そのため、誘虫光源３１は反射板２５の前に配設されている。この誘虫光源３１は、図示しない安定器が内蔵された電球型の蛍光ランプであって、そのバルブ３１ａから３５２ｎｍの波長を含んだ紫外線（誘虫光）を放射するものである。なお、安定器は、鉄心とコイルを組合せてなるものではなく、回路基板上に複数の電子部品を組合せてなるもので、バルブ３１ａとこれより上側に位置された口金部３１ｂとの間の外郭部３１ｃに内蔵されている。
【００５６】
この誘虫光源３１を支持するためのソケット３２がブラケット３３に固定されている。図１、図３、及び図５に示すようにブラケット３３は、上フレーム４の幅方向中央に位置してこの上フレーム４の上面に固定されている。そして、図２に示すようにソケット３２は上フレーム４を貫通して下部室２ｂに突出されている。したがって、誘虫光源３１はその口金部３１ｂをソケット３２に上向きにねじ込むことで、口金部３１ｂに対してバルブ３１ａを下に配した立ち姿勢で、ソケット３２を介して上フレーム４に吊持された状態に下部室２ｂに配設されている。
【００５７】
本実施形態の場合、例えば保護部材２１を外した状態で本体２の奥に作業者の手を深く差し込まないで誘虫光源３１を着脱できるように、誘虫光源３１、ソケット３２、及びブラケット３３は、保護部材２１に寄せて配設されている。又、誘虫光源３１は虫受け皿１１を外した状態で本体２の下方から交換できる。
【００５８】
また、図１〜図４中符号３４は円筒状のカバーを示している。カバー３４はソケット３２と誘虫光源３１の外郭部３１ｃにわたって被されている。このカバー３４により誘虫光源３１の取付け部に対する防水と虫の死骸の侵入を防止できる。
【００５９】
図２に示すように本体２には、誘虫光源３１と反射板２５との間、言い換えれば、反射板２５の前でかつ誘虫光源３１の後に位置して電撃格子３５が配設されている。電撃格子３５は、その前に配置されている誘虫光源３１に対して絶縁上十分離れているとともに、後に配置されている反射板２５に対しても絶縁上十分離れている。
【００６０】
電撃格子３５は、図５に示すように前後一対設けられていて、本体２の幅方向に真っ直ぐ延びて形成されている。これらの電撃格子３５の両端は夫々図３及び図５に示すように左右一対の碍子３６に支持されている。碍子３６は上フレーム４にその左右両端部を貫通して装着されている。したがって、電撃格子３５は碍子３６を介して上フレーム４に両端支持されることにより本体２の下部室２ｂに吊持状態に配設されている。
【００６１】
本体２の下部室２ｂとは隔離された上部室２ａに高圧印加装置例えば高圧トランス４１が配設されている。高圧トランス４１は上フレーム４の左右方向中央部の上面に固定されている。この位置に高圧トランス４１を配置することは、電撃殺虫される虫の死骸が付着しないとともに、電撃殺虫器１をチェーン等で吊持した場合に重量バランスがよく電撃殺虫器１が左右に傾かないようにできるので好ましい。
【００６２】
この高圧トランス４１には図１〜図４に示した一次側配線４２が供給され、高圧トランス４１から導出された二次側配線４３は電撃格子３５に接続され、それにより、高圧トランス４１で作られる高電圧が電撃格子３５に印加されるようになっている。一次側配線４２は上部カバー８を貫通しているとともに、この上部カバー８に防水コードストッパ４４により固定されている。
【００６３】
図１及び図３中符号４５は電源スイッチを示しており、この電源スイッチ４５のスイッチ摘み４５ａは上部カバー８の前側に配設されている。そのため、上部カバー８の外部から電源スイッチ４５がオン・オフ操作され、そのオン操作により電撃殺虫器１に電源が供給される。
【００６４】
図１〜図５中符号４７は吊り具受けを示している。吊り具受け４７は上フレーム４の左右両端部上面に夫々固定されている。これら吊り具受け４７の上端に例えば金属製チェーン等の吊り具が接続され、この吊り具を用いて電撃殺虫器１がその使用箇所に吊持された状態に設置されるようになっている。
【００６５】
図８（Ａ）（Ｂ）に電撃殺虫器１の設置例を示す。これらの図中符号５１は建物例えばコンビニエンスストアを示している。コンビニエンスストア５１は、その店内への人の出入りに伴い開閉されるドア５２を有しているとともに、このドア５２より高い位置にひさし状の軒５３を有している。軒５３はコンビニエンスストア５１の横方向に延びていて、ドア５２の真上からずれて電撃殺虫器１が吊り具５４を用いて設置されている。このように軒下に設置された電撃殺虫器１の開放された前面は、ドア５２側に位置されていて、この開放された前面を通った誘虫光がドア側に向けて投射されるようになっている。
【００６６】
図２に示すように電撃殺虫器１はひさし状の遮光凸部４９を備えている。なお、図２以外の各図では、説明の都合上、遮光凸部４９の図示が省略されている。この遮光凸部４９は、本体２の開放された前面の上側に取付けられていて、この開放された前面を通った光の一部が軒５３に入射することを妨げるために、本体２の開放された前面の前方に突出されている。
【００６７】
誘虫光源３１を点灯させて電撃殺虫器１が使用されると、誘虫光源３１はその周囲及び下方に誘虫光を放射し、この誘虫光源３１から前側に直接向かった誘虫光（図６中矢印Ｃで代表して示す。）は、本体２の開放された前面に配置された保護部材２１を通って本体２外に投光される。この一方で、誘虫光源３１から後側に向かった誘虫光（図６中矢印Ｄで示す）は、反射板２５に入射するから、この反射板２５で前側に反射されて保護部材２１を通って本体２外に投光される。
【００６８】
このように反射板２５により誘虫光源３１の後側に向かった誘虫光が無駄になることが抑制されて、その光を本体の前方へ投光できるので、誘虫効果が高められる。それだけではなく、誘虫光源３１がその後側の反射板２５の両端部側の部位２５ｂ等の反射面２７に映り込むので、反射板２５が擬似的な二次光原となる。これにより、コンビニエンスストア５１のドア５２付近にいる虫から見た光源の大きさが見掛け上大きくなるので、誘虫効果が高められる。
【００６９】
以上のような光量の増加及び光源の見かけ上の大きさが増えることにより誘虫効果を向上できるに伴い、本体２内に誘われて電撃格子３５に侵入する虫を電撃で殺虫する性能を向上できる。
【００７０】
こうした誘虫効果は、誘虫光源３１の数が多いほど高められるが、本実施形態のように誘虫光源３１が１個の場合でも、誘虫光源３１に向けての誘虫効果が高められ、かつ、それに伴い、電撃格子３５による電撃での殺虫性能が向上される。なお、電撃殺虫された虫の死骸の多くは周囲に飛び散って、下方の虫受け皿１１で受止められる。
【００７１】
しかも、本体２外の虫から見た光源の大きさを大きく確保するために数多くの誘虫光源３１を要することなく、誘虫光源３１の使用数を最小（本実施形態の場合には１個）にできる。それにより、コストを低減することができる。
【００７２】
これとともに、電撃格子３５を誘虫光源３１の後のみに配設したので、電撃格子３５と誘虫光源３１とを配置するのに要する前後方向のスペースは、電撃格子３５の前後両側に誘虫光源が配設された構成、及び誘虫光源の周りを囲んで電撃格子が環状に配設された場合に比較して、略半分で済む。したがって、電撃格子３５に対して誘虫光源３１等を所定の絶縁距離を隔てて配置する必要はあるものの、電撃格子３５及び誘虫光源３１を内蔵した本体２の前後方向の長さを短くするのに適しており、こうして電撃殺虫器１を前後方向にコンパクトに形成できるに伴い更なるコスト低減を図ることができる。
【００７３】
更に、反射板２５の反射面２７を保護層２８で覆ったので、反射面２７が曇って、反射性能が低下することを抑制できる。これとともに、保護層２８は高い滑性を有しているので、電撃殺虫により飛び散って反射板２５に到達した虫の死骸が、反射板２５の表面に付着し難く、反射板２５の表面に付着した虫の死骸を除去する場合にも、除去し易い。
【００７４】
又、電撃殺虫器１の本体２にはひさし状の遮光凸部４９が突設されているので、この遮光凸部４９によって、本体２の開放された前面を斜め上方に向けて通過する誘虫光が、遮られる。そのため、吊下げ設置面例えば軒下に吊下げ設置された電撃殺虫器１の本体２から出射された紫外線を含んだ誘虫光の一部が軒下を照射して、軒下の塗装を劣化させることを防止できる。
【００７５】
なお、既述のように電撃殺虫器１は、その本体２の開放された前面を通って、この前面の大きさに基づいて限定された照射エリアに誘虫光を投光できる。即ち、図８（Ａ）に示すように上方から見たときの照射エリアは、コンビニエンスストア５１の前面に略沿うように前後方向に狭い角度範囲αであり、コンビニエンスストア５１を正面に見たときの照射エリアは、図８（Ｂ）に示すように軒５３の真下からドア５２の下部にわたる角度範囲βで規定されるエリアである。このように照射エリアが限定されたことによって、光で誘って本体２内で電撃殺虫する虫を、ドア５２の付近にいる虫に限定できる。
【００７６】
言い換えれば、ドア５２付近以外のエリアに誘虫光が投射されて、周囲の虫を無闇に引き寄せて殺虫することがない。これに伴い、電撃殺虫される虫の数が最小限に止められるので、電撃殺虫に伴う放電の音が発生する回数が減るとともに、電撃殺虫されて飛び散った虫の死骸による反射板２５及び誘虫光源３１の汚れも軽減されて、それらのメンテナンスをする上でも有利となる。
【００７７】
図９及び図１０（Ａ）〜（Ｃ）は本発明の第２実施形態を示している。第２実施形態は、誘虫光源３１、電撃格子３５、及び高圧トランス４１の配置とともに、反射板（反射部材）の構成が第１実施形態とは異なり、それ以外は図９及び図１０（Ａ）〜（Ｃ）に示されない構成を含めて第１実施形態と同じである。そのため、第１実施形態と同じ構成については第１実施形態と同一符号を付してその説明を省略するとともに、以下の説明においては必要に応じて図８（Ｂ）を参照する。
【００７８】
図９に示すように保護部材２１と反射板２５との間において、誘虫光源３１が、反射板２５に寄せて本体２の下部室２ｂ内の奥側（後部側）に配設されているとともに、電撃格子３５が、誘虫光源３１の前に位置してこの誘虫光源３１と保護部材２１との間に配設されている。こうして配置された電撃格子３５の真上に対応して位置されるように高圧トランス４１が前側に寄せて上部室２ａに配置されている。
【００７９】
電撃格子３５及び誘虫光源３１の後側に配置された反射板２５は斜状の配光制御部２９を有している。図１０（Ａ）〜（Ｃ）に示すように配光制御部２９は、そこへの入射光を斜め下方に向けて反射する部位であり、例えば中央部２５ｃの上縁から斜め前側に折り曲げられている。こうした斜状の配光制御部２９を設けるために、左右の固定片２５ａは、反射板２５の両端部側の部位２５ｂの上縁が配光制御部２９の高さに見合って上方に延長された部分から折り曲げられている。なお、第２実施形態での反射板２５の中央部は曲がっておらず平坦である。以上説明した構成以外は図９及び図１０（Ａ）〜（Ｃ）に示されない構成を含めて第１実施形態と同じである。
【００８０】
したがって、この第２実施形態においても、第１実施形態で既に説明した作用と同様な作用を得て本発明の課題を解決できる。
【００８１】
しかも、電撃格子３５を誘虫光源３１の前に配設したので、この電撃格子３５と反射板２５との間の距離が第１実施形態よりも大きく隔たっている。そのため、電撃格子３５で電撃殺虫された虫の死骸が反射板２５に到達して付着することが抑制され、反射板２５のメンテナンス上有利である、という利点がある。
【００８２】
更に、誘虫光源３１は第１実施形態の場合よりも反射板２５に寄せて下部室２ｂの奥側に配設されている。そのため、誘虫光源３１から斜め上向きに向かう誘虫光を本体２の上フレーム４で遮光できるに伴い、第１実施形態で採用した遮光凸部を省略できるか、若しくは遮光凸部を用ける場合でもその突出長さを短くできる利点がある。それだけではなく、誘虫光源３１が反射板２５に近付けられていることにより、光強度が強い状態の誘虫光を前方へ反射できるので、誘虫効果を高める上で好ましい、という利点がある。
【００８３】
その上、反射板２５に設けられた配光制御部２９で、そこに入射した光を斜め下方に向けて反射させて本体２の開放された前面から投光できるので、本体２の開放された前面の大きさに基づく照射エリアに対する配光を、上方向には少なく、斜め下方向には多く確保できる。こうした配光制御が加味された照射角度範囲β１を図８（Ｂ）に示す。この点は、第１実施形態で採用した遮光凸部を省略できるか、若しくは遮光凸部を用いる場合でもその突出長さを短くするのに貢献できる。
【００８４】
それだけではなく、図８（Ｂ）に示すように特定の照射エリア、具体的にはドア５２付近に的を絞ってより多く誘虫光を照射できる。このため、特定の照射エリア以外にいる虫を誘い込んで殺虫しないようにしつつ、特定の照射エリアにいる虫を本体２内に誘う効果を向上させることができる、という利点がある。
【００８５】
図１１は本発明の第３実施形態を示している。第３実施形態は、電撃格子３５の構成が第２実施形態とは異なり、それ以外は図１１に示されない構成を含めて第２実施形態と同じである。そのため、第２実施形態と同じ構成については第２実施形態と同一符号を付してその説明を省略する。
【００８６】
保護部材２１とその後方に配置された誘虫光源３１との間に配設された電撃格子３５は、図１１に示すように平面視略半円弧状に曲がっていて、誘虫光源３１をその周方向に半周程度囲むように配設されている。以上説明した以外の構成は図１１に示されない構成を含めて第２実施形態と同じである。
【００８７】
したがって、この第３実施形態においても、第２実施形態で既に説明した作用と同様な作用を得て本発明の課題を解決できる。
【００８８】
しかも、前記構成の電撃格子３５によれば、その各部と誘虫光源３１との離間距離が略等しい。このため、照射エリアに投光された光によって本体２内に誘き寄せられて誘虫光源３１の周りを飛び交う虫が、電撃格子３５の電撃によって殺虫される可能性が高められる、という利点がある。
【図面の簡単な説明】
【００８９】
【図１】本発明の第１実施形態に係る電撃殺虫器を示す正面図。
【図２】図１の電撃殺虫器を示す断面図。
【図３】図１の電撃殺虫器を分解して示す正面図。
【図４】図１の電撃殺虫器を分解して示す断面図。
【図５】上部カバーが外された図１の電撃殺虫器を分解して示す平面図。
【図６】図１の電撃殺虫器の光源と反射板との関係を示す略平面図。
【図７】図１の電撃殺虫器の反射板の一部を拡大して示す断面図。
【図８】（Ａ）及び（Ｂ）は図１の電撃殺虫器とこれが設置された建物との位置関係を示す略平面図及び略正面図。
【図９】本発明の第２実施形態に係る電撃殺虫器を示す断面図。
【図１０】（Ａ）は図９の電撃殺虫器の反射板を示す正面図。（Ｂ）は同反射板を示す平面図。（Ｃ）は図１０（Ｂ）中Ｆ１０−Ｆ１０に沿って同反射板を示す断面図。
【図１１】本発明の第３実施形態に係る電撃殺虫器を示す略横断平面図。
【符号の説明】
【００９０】
１…電撃殺虫器、２…本体、３…本体の側フレーム、４…本体の上フレーム、６…本体の背板、１１…虫受け皿、２１…保護部材、２５…反射板（反射部材）、２５ｂ…反射板の両端部側の部位、２５ｃ…反射板の中央部、２６…反射板の基材、２７…反射板の反射面、２８…反射板の保護層、２９…反射板の配光制御部、３１…誘虫光源、３５…電撃格子、４１…高圧トランス（電圧印加装置）、４９…遮光凸部
【図１】
2010130969.tif 000003
【図２】
2010130969.tif 000004
【図３】
2010130969.tif 000005
【図４】
2010130969.tif 000006
【図５】
2010130969.tif 000007
【図６】
2010130969.tif 000008
【図７】
2010130969.tif 000009
【図８】
2010130969.tif 000010
【図９】
2010130969.tif 000011
【図１０】
2010130969.tif 000012
【図１１】
2010130969.tif 000013